(57)【要約】【課題】  従来の緩衝装置では、取付部分を含めた全体的な構造が大型化する問題がある。しかも、これらには振動を吸収する機能がなく、僅かな振動だけでも揺れを助長させてしまうこともあり、単に衝撃を吸収するに過ぎないものであった。特に、ゴムなどは設置する場所や環境によっては劣化の問題など、長期の使用に耐えない。【解決手段】  支持台に、螺旋状に巻回したワイヤロープの直径位置でそれぞれ２枚のリテーナ構成部材部材で挟み付けて形成した複数の緩衝具の、一方のリテーナを取り付ける。【選択図】        図１
2009138844.tif 000002
【特許請求の範囲】
【請求項１】
支持台に、螺旋状に巻回したワイヤロープの直径位置でそれぞれ２枚のリテーナ構成部材部材で挟み付けて形成した複数の緩衝具の、一方のリテーナを取り付けたことを特徴とする緩衝装置。
【請求項２】
支持台は、複数のリテーナ構成部を形成した請求項１記載の緩衝装置。
【請求項３】
支持台は、支持面に対して異なる角度のリテーナ取付部を備えた請求項１又は２記載の緩衝装置。
【請求項４】
ワイヤロープの外周側に配するリテーナ構成部材は、長手方向に沿って屈曲させた請求項１又は２記載の緩衝装置。
【発明の詳細な説明】
【技術分野】
【０００１】
本発明は、振動によって影響を受けたり壊れたりする物品や構造物、或いは振動を発生する装置などを支持するための緩衝装置に関するものである。
【背景技術】
【０００２】
従来より、運搬時や地震等による振動や、モータやエンジンなどの振動発生源に対する緩衝装置として、防震ゴムやバネなど種々のものがある。
【発明の開示】
【発明が解決しようとする課題】
【０００３】
上述したような緩衝装置においては、支持する物品等の大きさに応じて種々対応することができるものの、これらを利用した緩衝装置では取付部分を含めた全体的な構造が大型化する問題がある。また、これらには振動を吸収する機能がなく、僅かな振動だけでも揺れを助長させてしまうこともあり、単に衝撃を吸収するに過ぎないものであった。特に、ゴムなどは設置する場所や環境によっては劣化の問題があり、長期の使用に耐えない欠点を有していた。
【課題を解決するための手段】
【０００４】
そこで本発明者は上記課題に鑑み鋭意研究した結果、本発明を成し得たものであり、その特徴とするところは、支持台に、螺旋状に巻回したワイヤロープの直径位置でそれぞれ２枚のリテーナ構成部材部材で挟み付けて形成した複数の緩衝具の、一方のリテーナを取り付けたことにある。
【０００５】
本明細書中でいう「リテーナ構成部材」とは、螺旋状に巻回したワイヤロープを支持する部材であって、該ワイヤロープの長手方向に沿って内周側と外周側から挟み付ける部材をいう。リテーナ構成部材により形成したリテーナを、ワイヤロープの直径位置に設けることで緩衝具として構成する。本発明においては、支持台に複数の緩衝具の一方のリテーナを取り付けることで緩衝装置として構成する。
【０００６】
このため、支持台に取り付けるリテーナには、固定部を設けておき、ボルトやナットなどで固定する。他方のリテーナにも取付部を設けてもよく、設置しやすくするためにリテーナ構成部材を幅広にしたり、表面に凹凸を設けて滑りにくくしてもよい。
【０００７】
「支持台」とは、複数の緩衝具を取り付けた緩衝台として物品等を支持載置する部材をいう。逆に物品等を支持する緩衝具の支持盤として用いることもでき、この場合には２つの支持台を垂直にして物品等を挟み付けて支持することもできる。本発明においては、支持台の一部に複数のリテーナ構成部を形成してもよい。つまり、支持台をワイヤロープの外周側に配するリテーナ構成部材とすることにより、部品を省略することができる。
【０００８】
本発明でいうところの緩衝具は、螺旋状に巻回したワイヤロープの直径位置に設けた２つの対向するリテーナで支持する構造であって、コイル状のワイヤロープによる上下方向の圧縮の他、前後左右の方向にも振動と衝撃の吸収が可能となる。このため、支持台は平板状とする他、リテーナ取付部に角度を設けることで緩衝方向の設定を任意にすることができる。また、ワイヤロープの外周側に配するリテーナ構成部材を、長手方向に沿って屈曲させることによって取付角度を変えてもよい。さらに、支持台に緩衝具を回動自在に取り付けることにより、緩衝作用の設定を容易にすることができる。
【発明の効果】
【０００９】
本発明に係る緩衝装置は、螺旋状に巻回したワイヤロープの直径位置をそれぞれ２枚のリテーナ構成部材部材で挟み付けて形成した複数の緩衝具を、一方のリテーナで支持台に取り付けたことにより、該支持台や緩衝具に支持した物品等を振動や衝撃から簡単確実に保護することができる。特に、この緩衝具はワイヤロープの直径位置に配した一方のリテーナを支持台に固定し、他方のリテーナを設置部材とした、緩衝装置として完成した構造であるため、別途固定具を設けたり固定部を形成する必要がなく、コンパクトで設置場所を選ばない効果がある。
【００１０】
ワイヤロープにはスプリング作用の他、ワイヤロープの変形に伴う線材同士の摩擦によるダンパー効果もあり、不要な振動を抑えることができる。また、コイル状に巻回したワイヤロープは、設置する向きや角度によって緩衝作用が異なるため、向きや角度を設定することで使用環境に応じて容易に対応できるなど極めて有益な効果を有するものである。
【発明を実施するための最良の形態】
【００１１】
本発明に係る緩衝装置は、螺旋状に巻回したワイヤロープをその直径位置で支持台に取り付けた構造とすることで上記課題を解決した。
【実施例１】
【００１２】
図１（ａ）は、本発明に係る緩衝装置１の一実施例を示すもので、矩形状の支持台２の四隅に脚部として緩衝具３を配したパレットである。緩衝具３は、同図（ｂ）に示すように螺旋状に巻回したワイヤロープ４の直径位置にリテーナ５を取り付けた構造であり、一方のリテーナ５を支持台２にボルトで固定している。リテーナ５は、ワイヤロープ４に挟み付ける２枚のリテーナ構成部材５１で構成しており、リテーナ５から露出したワイヤロープ４の弾性による緩衝作用とワイヤロープ４を構成する線材同士の摩擦によるダンパー作用が得られる。
【００１３】
緩衝具３は、螺旋状に巻回したワイヤロープ４とその直径位置に取り付けたリテーナ５により構成していることから、上下方向のみならず前後左右の方向にも緩衝作用がある。螺旋状に巻回したワイヤロープ４の軸方向である前後方向に関しては、例えば図２のように螺旋の傾斜方向を対称に巻回することで、前後方向の弾性を均等にすることができる。これにより、上下方向及び放射方向である左右方向の捻れに対応できる。この他、緩衝具３を放射状に配したり、巻き方向を相互に逆にした２つの緩衝具３を併設するなどの方法で対処してもよい。
また、緩衝具３のリテーナ５を構成するリテーナ構成部材５１としては、図３に示すように支持台２を兼ねる構造としてもよい。これは、支持台２にワイヤロープ４が嵌り込む溝２２を穿設したもので、支持台２自体が緩衝具３のリテーナ５を構成する構造である。
【実施例２】
【００１４】
緩衝具３の設置方法としては、図４（ａ）のように支持台２に傾斜させたリテーナ取付部２１を設け、緩衝具３をワイヤロープ４の軸心に沿って傾けることにより、上下方向及び放射方向の弾性作用を得ることができる。緩衝具３をワイヤロープ４の軸心に沿って傾ける方法として、同図（ｂ）のようにリテーナ構成部材５１を長手方向に沿う屈曲部を設けることで、平板状の支持台２にも対応することができる。また、同図（ｃ）のようにリテーナ構成部材５１の支持面の角度を変えれば、平板状の支持台２を平面上に支持して緩衝具３の設置角度を傾けることも可能となる。
【実施例３】
【００１５】
本発明に係る緩衝装置１は、前述した各実施例のように精密機器等のパレット、振動を発生するコンプレッサや発電機などの支持装置として用いる他、図５のように美術品の展示台として耐震や衝撃防止を図ることができる。また、ワイヤロープ４の径や巻数によって耐荷重を設定できるため、家屋等の建築物や構築物の耐震装置としても使用することができる。
【図面の簡単な説明】
【００１６】
【図１】本発明に係る緩衝装置の一実施例を示すもので、（ａ）は全体の斜視図、（ｂ）は部分斜視図である。（実施例１）
【図２】本発明に係る緩衝装置におけるワイヤロープの他の例を示す側面図である。
【図３】緩衝具の他の例を示す部分斜視図である。
【図４】（ａ）（ｂ）（ｃ）はそれぞれ緩衝具の取付方法の他の例を示す正面図である。（実施例２）
【図５】本発明に係る緩衝装置の他の実施例を示す斜視図である。（実施例３）。
【符号の説明】
【００１７】
１  緩衝装置
２  支持台
２１  リテーナ取付部
２２  溝
３  緩衝具
４  ワイヤロープ
５  リテーナ
５１  リテーナ構成部材
【図１】
2009138844.tif 000003
【図２】
2009138844.tif 000004
【図３】
2009138844.tif 000005
【図４】
2009138844.tif 000006
【図５】
2009138844.tif 000007